(57)【要約】【課題】照明の輝度を低くしても視認性の低下の抑制を図ること。【解決手段】  バッテリ１２５Ａによって電源を供給している場合にバックライト１５の輝度を暗くすると共に、ＬＣＤ１６１の白色画素をオン状態にすることで、ユーザが感じる輝度を高くする。【選択図】    図７
2008009306.tif 000002
【特許請求の範囲】
【請求項１】
赤色画素、緑色画素、青色画素および白色画素を有する液晶ディスプレイと、第１制御信号に応じて前記白色画素を駆動する駆動回路と、前記液晶パネルを照明する照明部とを有する表示パネルと、供給される駆動電圧を昇圧して前記照明部に供給するインバータとを有する表示部と、
前記赤色画素、緑色画素、および青色画素を制御して画像を表示するための表示コントローラと、
第２制御信号に応じた電圧値の前記駆動電源を前記インバータに供給するパワーサプライと、
前記白色画素の輝度設定と前記バックライトの輝度設定とを具備する設定データを複数有する設定テーブルから一つの設定データを選択する選択部と、
前記選択部が選択した設定データに含まれる前記白色画素の輝度に応じた第１制御信号を前記駆動回路に供給する第１制御信号出力部と、
前記選択部が選択した設定データに含まれる前記照明部の輝度に応じた第２制御信号を前記パワーサプライに供給する第２制御信号出力部と
を具備することを特徴とする情報処理装置。
【請求項２】
前記パワーサプライは、バッテリまたはＡＣアダプタから供給される電源を用いて前記駆動電源を生成することを特徴とする請求項１記載の情報処理装置。
【請求項３】
前記パワーサプライが前記バッテリを用いて前記駆動電源を生成しているか否かを判別する手段を更に具備し、
前記選択部は前記判別手段の判別結果に応じて前記設定テーブルから一つの設定データを選択することを特徴とする請求項２記載の情報処理装置。
【請求項４】
前記設定テーブルは、前記判別手段が前記バッテリを用いて前記駆動電源を生成していると判別した場合に選択されるべき第１の設定データ、および前記第１の設定データ選択時より前記バッテリによる駆動時間が長くなる第２の設定データを有し、
前記判別手段が前記バッテリを用いて前記駆動電源を生成していると判別した場合に、前記選択部が前記第１の設定データおよび前記第２の設定データの何れか一方の設定データを選択すべきかをユーザが設定するための手段と、
前記設定手段によって設定された情報が格納される記憶装置とを更に具備することを特徴とする請求項３記載の情報処理装置。
【請求項５】
前記白色画素および前記照明部の輝度をユーザが設定する手段と、
前記設定テーブルに格納されている設定データ、および前記設定手段によってユーザが設定した前記白色画素および前記照明部の輝度の設定の一方を前記選択部が選択すべきかユーザが設定するための手段を更に具備することを特徴とする請求項１記載の情報処理装置。
【請求項６】
赤色画素、緑色画素、青色画素および白色画素を有する液晶ディスプレイと、第１制御信号に応じて前記白色画素を駆動する駆動回路と、前記液晶パネルを照明する照明部とを有する表示パネルと、供給される駆動電圧を昇圧して前記照明部に供給するインバータとを有する表示部を有する情報処理装置の制御方法であって、
前記白色画素の輝度設定と前記バックライトの輝度設定とを具備する設定データを複数有する設定テーブルから一つの設定データを選択し、
前記選択された設定データに含まれる前記白色画素の輝度に応じた第１制御信号を前記駆動回路に供給し、
前記選択された設定データに含まれる前記照明部の輝度に応じた第２制御信号を前記第２制御信号に応じた電圧値の前記駆動電源を前記インバータに供給するパワーサプライに供給する
ことを特徴とする制御方法。
【請求項７】
前記パワーサプライは、バッテリまたはＡＣアダプタから供給される電源を用いて前記駆動電源を生成し、
前記パワーサプライが前記バッテリを用いて前記駆動電源を生成しているか否かを判別し、
前記設定データの選択は、前記判別の結果に応じて前記設定テーブルから一つの設定データを選択することを特徴とする請求項６記載の制御方法。
【請求項８】
前記設定テーブルは、前記バッテリを用いて前記駆動電源を生成していると判別された場合に選択されるべき第１の設定データ、および前記第１の設定データ選択時より前記バッテリによる駆動時間が長くなる第２の設定データを有し、
前記バッテリを用いて前記駆動電源を生成していると判別された場合に、前記第１の設定データおよび前記第２の設定データの何れか一方の設定データを選択すべきかの設定が格納される記憶装置を更に具備し、
前記バッテリを用いて前記駆動電源を生成していると判別した場合に、前記記憶装置に格納されている設定を参照し、
前記選択は、前記参照結果に応じて前記第１および第２の設定データの一方が選択されることを特徴とする請求項７記載の制御方法。
【請求項９】
前記情報処理装置は、前記白色画素および前記照明部の輝度をユーザが設定する手段と、前記設定テーブルに格納されている設定データ、および前記設定手段によってユーザが設定した前記白色画素および前記照明部の輝度の設定の一方を前記選択部が選択すべきかユーザが設定するための手段を更に具備し、
前記設定テーブルに格納されている設定データ、および前記設定手段によってユーザが設定した輝度のどちらを選択すべきかを判別し、
前記判別結果に応じて前記白色画素および前記照明部の輝度を設定することを特徴とする請求項６記載の制御方法。
【請求項１０】
赤色画素、緑色画素、青色画素および白色画素を有する液晶ディスプレイと、
前記赤色画素、前記緑色画素、および前記青色画素を駆動する第１駆動信号を供給するための第１駆動信号線が接続される第１コネクタと、
前記白色画素を駆動する第２駆動信号を供給するための第２駆動信号線が接続される第２コネクタと、
前記液晶パネルを照明する照明部とを具備することを特徴とする表示パネル。
【発明の詳細な説明】
【技術分野】
【０００１】
本発明は、ＲＧＢＷ型のＬＣＤおよび照明部を有する表示パネル、この表示パネルを有する情報処理装置、および制御方法に関する。
【背景技術】
【０００２】
ＬＣＤ（Liquid Crystal Display）は、ノート型パーソナルコンピュータや、カーナビゲーションシステムの表示装置として広く用いられている。
【０００３】
現在、輝度を上げるためにＲＧＢＷ型のＬＣＤが提案されている。
【０００４】
特許文献１には、省電力表示についての入力手段（入力ボタン）などによって、Ｗ画素の使用率（輝度）を制御する有機エレクトロルミネッセンス素子が開示されている。ＲＧＢＷ型のＬＣＤに特許文献１に記載されている技術と同様に入力手段によってＷ画素の輝度を変更することができる。
【特許文献１】特開２００６−３４７５号公報
【発明の開示】
【発明が解決しようとする課題】
【０００５】
ところで、液晶自体は非発光であり、ＬＣＤにバックライト等の照明を組み合わせることによってユーザが画像を見ることができる。バックライトの消費電力はＬＣＤのそれよりも大きい。よって、ノート型パーソナルコンピュータの場合には、バッテリ駆動時にバックライトの輝度を自動的に低くして、駆動時間を延ばすことが行われている。バックライトの輝度を低くすると視認性が悪くなる場合もある。
【０００６】
本発明の目的は、照明の輝度を低くしても視認性の低下の抑制を図り得る情報処理装置、および制御方法を提供することにある。
【課題を解決するための手段】
【０００７】
本発明の一例に係わる情報処理装置は、赤色画素、緑色画素、青色画素および白色画素を有する液晶ディスプレイと、第１制御信号に応じて前記白色画素を駆動する駆動回路と、前記液晶パネルを照明する照明部とを有する表示パネルと、供給される駆動電圧を昇圧して前記照明部に供給するインバータとを有する表示部と、前記赤色画素、緑色画素、および青色画素を制御して画像を表示するための表示コントローラと、第２制御信号に応じた電圧値の前記駆動電源を前記インバータに供給するパワーサプライと、前記白色画素の輝度設定と前記バックライトの輝度設定とを具備する設定データを複数有する設定テーブルから一つの設定データを選択する選択部と、前記選択部が選択した設定データに含まれる前記白色画素の輝度に応じた第１制御信号を前記駆動回路に供給する第１制御信号出力部と、前記選択部が選択した設定データに含まれる前記照明部の輝度に応じた第２制御信号を前記パワーサプライに供給する第２制御信号出力部とを具備することを特徴とする。
【発明の効果】
【０００８】
照明の輝度を低くしても視認性の低下の抑制を図ることが可能になる。
【発明を実施するための最良の形態】
【０００９】
本発明の実施の形態を以下に図面を参照して説明する。
【００１０】
図１は本発明の第１の実施の形態に係る情報処理装置としてのノートブック型のパーソナルコンピュータの構成の一例を示す図である。
【００１１】
パーソナルコンピュータ１０は、コンピュータ本体１２と、ディスプレイユニット１４とから構成されている。ディスプレイユニット１４には、ＬＣＤ（Liquid Crystal Display）を有する表示パネル１６が組み込まれている。
【００１２】
表示部としてのディスプレイユニット１４は、コンピュータ本体１２の上面を覆う開放位置とコンピュータ本体１２の上面が露出する閉塞位置との間を回動自在に変化するように、コンピュータ本体１２の奥手側の端部に設けられたヒンジ（支持部）１８に取り付けられている。
【００１３】
コンピュータ本体１２は薄い箱形の筐体を有しており、その筐体上面中央部には、キーボード２０が設けられる。コンピュータ本体１２の手前側の筐体部分上面にはパームレストが形成されている。パームレストのほぼ中央部には、タッチパッド２２、スクロールボタン２４、タッチパッドコントロールボタン２６が設けられる。コンピュータ本体１２の奥側の筐体部分上面には、コンピュータ本体１２の電源をオン／オフするためのパワーボタン２８が配置されている。
【００１４】
次に、図２を参照して、本コンピュータのシステム構成の一例について説明する。
【００１５】
本コンピュータは、図２に示されているように、ＣＰＵ１０２、ノースブリッジ１０４、メインメモリ１１４、グラフィクスコントローラ１０８、サウスブリッジ１０６、ＢＩＯＳ−ＲＯＭ１２０、ハードディスクドライブ（ＨＤＤ）１２６、エンベデッドコントローラ／キーボードコントローラＩＣ（ＥＣ／ＫＢＣ）１３０、およびパワーサプライ１２５等を備えている。
【００１６】
ディスプレイユニット１４は、ＬＣＤ１６１、ＲＧＢ駆動回路（ＲＧＢ_driver）１６２、Ｗ駆動回路（Ｗ_driver）１６３、バックライト１６４、第１コネクタＣ１、および第２コネクタＣ２を有する表示パネル１６、並びにインバータ１５を有する。
【００１７】
ＬＣＤ１６１のカラーフィルタは赤色、緑色、青色、及び白色（例えば、無色透明）のフィルタセグメントを有するＲＧＢＷ型である。バックライト１６４は、透過型（または半透過型）のＬＣＤ１６１の背面からＬＣＤ１６１を照明する照明部である。ＬＣＤ１６１が反射型の場合、ＬＣＤ１６１の前側の横からＬＣＤ１６１を照明する照明部としてフロントサイドライトを用いる。インバータ１５は、パワーサプライ１２５から供給される駆動電源を昇圧し、昇圧した電源をバックライト１６４に供給する。
【００１８】
ＣＰＵ１０２は本コンピュータの動作を制御するために設けられたプロセッサであり、ハードディスクドライブ（ＨＤＤ）１２６からメインメモリ１１４にロードされる、オペレーティングシステム（ＯＳ）１５１およびユーティリティ１５２を含む各種アプリケーションプログラムを実行する。また、起動時に同期設定データテーブル１５３がメインメモリ１１４にロードされる。
【００１９】
また、ＣＰＵ１０２は、ＢＩＯＳ−ＲＯＭ１２０に格納されたシステムＢＩＯＳ（Basic Input Output System）をメインメモリ１１４にロードした後、実行する。システムＢＩＯＳはハードウェア制御のためのプログラムである。
【００２０】
ノースブリッジ１０４はＣＰＵ１０２のローカルバスとサウスブリッジ１０６との間を接続するブリッジデバイスである。ノースブリッジ１０４には、メインメモリ１１４をアクセス制御するメモリコントローラも内蔵されている。また、ノースブリッジ１０４は、ＡＧＰ（Accelerated Graphics Port）バスなどを介してグラフィクスコントローラ１０８との通信を実行する機能も有している。
【００２１】
グラフィクスコントローラ１０８は本コンピュータのディスプレイモニタとして使用されるＬＣＤ１６１の赤色画素、緑色画素、青色画素を制御する表示コントローラである。このグラフィクスコントローラ１０８はビデオメモリ（ＶＲＡＭ）を有しており、ＯＳ／アプリケーションプログラムによってビデオメモリに描画された表示データから、ＬＣＤ１６１に表示すべき表示イメージを形成する映像信号を生成する。グラフィクスコントローラ１０８によって生成された制御信号としての映像信号は信号線Ｌ１に出力される。信号線Ｌ１は、表示パネル１６に設けられた第１コネクタＣ１に接続されている。表示パネルに設けられたＲＧＢ駆動回路１６２は、第１コネクタＣ１から供給される映像信号に基づいてＬＣＤ１６１の赤、緑、青色画素を駆動する。
【００２２】
エンベデッドコントローラ／キーボードコントローラＩＣ１３０は、入力手段としてのタッチパッド２２、スクロールボタン２４、およびタッチパッドコントロールボタン２６のコントロールを行うと共に、バックライトおよびＬＣＤ１６１の白色画素の輝度を制御するコントローラとして機能する。エンベデッドコントローラ／キーボードコントローラＩＣ１３０は、コンピュータ１０のシステム状態に関わらず、各種のデバイス（周辺装置やセンサ、電源回路等）を監視し制御するワンチップ・マイコンである。
【００２３】
また、ＥＣ／ＫＢＣ１３０は、白色画素輝度レジスタ（Ｗpixel輝度レジスタ）１３１、バックライト輝度レジスタ（ＢＬ輝度レジスタ）１３２、Ｗpixel_ＰＷＭ回路１３３、ＢＬ_ＰＷＭ回路１３４を有する。白色画素輝度レジスタ１３１には、ＬＣＤ１６１の白色画素の輝度を指定するためのデータが格納される。バックライト輝度レジスタ１３２には、バックライト１７１の輝度を指定するためのデータが格納される。
【００２４】
Ｗpixel_ＰＷＭ回路１３３は、白色画素輝度レジスタ１３１に格納されているデータに基づいて制御信号としてのＰＷＭ信号を生成する。Ｗpixel_ＰＷＭ回路１３３によって生成された制御信号としてのＰＷＭ信号は信号線Ｌ２に出力される。信号線Ｌ２は、表示パネル１６に設けられた第２コネクタＣ２に接続されている。表示パネルに設けられたＷ駆動回路１６３は、第２コネクタＣ２から供給される映像信号に基づいてＬＣＤ１６１の白色画素を駆動する。
【００２５】
ＢＬ_ＰＷＭ回路１３４は、バックライト輝度レジスタ１３２に格納されているデータに基づいて制御信号としてのＰＷＭ信号を生成する。パワーサプライ１２５は、ＰＷＭ信号に基づいた電圧値の駆動電源をインバータ１５に供給する。インバータ１５が昇圧した電源をバックライト１６４に供給することによって、バックライト１６４が点灯する。
【００２６】
パワーサプライ１２５は、ＡＣアダプタ１２５Ｂを介して外部電源が供給されている場合、ＡＣアダプタ１２５Ｂから供給される外部電源を用いて本コンピュータ１０の各コンポーネントに供給すべきシステム電源を生成する。また、ＡＣアダプタ１２５Ｂを介して外部電源が供給されていない場合、バッテリ１２５Ａを用いて本コンピュータ１０の各コンポーネント（コンピュータ本体１２，およびディスプレイユニット（表示部）１４）に供給すべきシステム電源を生成する。以下では、コンピュータ本体１２，およびディスプレイユニット１４の駆動電源がバッテリ１２５Ａである場合をバッテリ駆動と称する。
【００２７】
パワーサプライ１２５は、システム電源の生成元が変わったときに、システム電源の生成元をＥＣ／ＫＢＣ１３０に対して割込通知する機能を有する。ＥＣ／ＫＢＣ１３０は、システム電源の生成元をシステムＢＩＯＳに通知する。システムＢＩＯＳは、通知されたシステム電源の生成元に応じてメインメモリ１１４上のＢＡＴＴ駆動フラグ１５４をイネーブル（バッテリ駆動）またはディスイネーブル（外部電源駆動）にする。
【００２８】
次に、白色画素の制御について説明する。
【００２９】
白色画素の制御は、ＥＣ／ＫＢＣ１３０によって行われる。白色画素の制御は、白色画素の制御とバックライトの輝度制御とを自動的に行う同期モードと、バックライトの輝度制御と白色画素の制御とを独立にユーザが設定可能な非同期モードとを有する。
【００３０】
同期モードと非同期モードとの切り替えは、ユーティリティ１５２によって行われる。同期モードと非同期モードとを切り替えるために、ユーティリティ１５２がＬＣＤ１６１に表示するウィンドウを図３に示す。
【００３１】
図３に示すように、ウィンドウ１７０内には、同期モードを選択するためのラジオボックス１７１、および非同期モードを選択するためのラジオボックス１７２が設けられている。ラジオボックス１７１とラジオボックス１７２とは排他的に選択可能である。ラジオボックス１７１およびラジオボックス１７２の一方が選択された状態で、ラジオボックス１７１およびラジオボックス１７２の他方を選択した場合、ラジオボックス１７１およびラジオボックス１７２の一方のチェックマークが自動的に外れる。同期モードであるか非同期モードであるかの設定は、記憶装置としてのＣＭＯＳラム１４０内の同期/非同期設定１４１に格納される。
【００３２】
同期モードでは、例えばＥＣ／ＫＢＣ１３０内のメインメモリ１１４にロードされている同期設定データテーブル１５３中の設定データに応じて白色画素およびバックライトの輝度を制御する。同期設定データテーブル１５３の内容の一例を図４，図５，および図６に示す。図４はＬＣＤ１６１が透過型の場合、図５はＬＣＤ１６１が半透過型の場合、図６はＬＣＤ１６１が反射型の場合の同期設定データテーブル１５３の内容である。
【００３３】
図４，５，６において、ハイパワーはシステムがＡＣアダプタ１２５Ｂから電力が供給されるＡＣ電源で駆動されている場合である。また、ノーマルモードおよびロングライフモードはバッテリ１２５Ａで駆動されている場合である。図３に示すウィンドウ１７０のチェックボックス１７３にチェックマークを入れることでロングライフモードになり、チェックマークをはずすことでノーマルモードになる。このロングライフモードであるかノーマルモードであるかは、同期／非同期設定１４１に記録される。
【００３４】
非同期モードの選択時、白色画素の輝度を設定するためのスライドバー１７４、およびバックライトの輝度を設定するためのスライドバー１７５を操作することが可能である。白色画素の輝度は、４段階に設定することができる。また、バックライトの輝度は２５６段階に設定することができる。ユーザが設定した白色画素およびバックライトの輝度の値は、同期／非同期設定１４１に記録される。
【００３５】
次に、バックライトおよび白色画素の輝度を設定する処理の手順を以下に説明する。同期モードでは白色画素をバックライトからの光が透過するオン状態、バックライトからの光が透過しないオフ状態の二つの状態を制御する。また、バックライトは、Ｈｉ、Ｍｉｄｄｌｅ、Ｌｏｗ、ＯＦＦの４つの状態を制御する。なお、白色画素およびバックライトの制御は、もっと多段階の制御を行っても良い。
【００３６】
・透過型ＬＣＤ
先ず、ＬＣＤ１６１が透過型の場合について説明する。ユーティリティ１５２は、起動時、またはモードが切り替えられた場合に、同期／非同期設定１４１を参照し、同期モードであるか否かを判別する（ステップＳ１１）。同期モードであると判別した場合（ステップＳ１１のＹｅｓ）、ユーティリティ１５２は現在のシステムの電源供給源がバッテリ１２５Ａであるか否かを判別する（ステップＳ１２）。
【００３７】
電源供給源がバッテリ１２５Ａではないと判別した場合（ステップＳ１２のＮｏ）、同期設定データテーブル１５３からＡＣ電源駆動の場合の白色画素およびバックライトの輝度の設定データを選択して読み込む（ステップＳ２１）。そして、ユーティリティ１５２は、ＥＣ／ＫＢＣ１３０内の白色画素輝度レジスタ１３１に白色画素のオン状態に相当するデータを書き込む（ステップＳ２２）。また、ユーティリティ１５２は、バックライトのＨｉに相当するデータをＥＣ／ＫＢＣ１３０内のバックライト輝度レジスタ１３２に書き込む（ステップＳ２３）。ステップＳ２２とステップＳ２３の順序は逆であっても良い。
【００３８】
ステップＳ１２の処理において電源供給源がバッテリ１２５Ａであると判別した場合（ステップＳ１２のＹｅｓ）、ユーティリティ１５２は、同期／非同期設定１４１を参照し、ロングライフモードであるか否かを判別する（ステップＳ１３）。ロングライフモードでは無いと判別した場合（ステップＳ１３のＮｏ）、ユーティリティ１５２は、同期設定データテーブル１５３からノーマルモードの場合の白色画素およびバックライトの輝度の設定データを選択して読み込む（ステップＳ３１）。そして、ユーティリティは、ＥＣ／ＫＢＣ１３０内の白色画素輝度レジスタ１３１に白色画素のオフ状態に相当するデータを書き込む（ステップＳ３２）。また、ユーティリティ１５２は、バックライトのＭｉｄｄｌｅに相当するデータをＥＣ／ＫＢＣ１３０内のバックライト輝度レジスタ１３２に書き込む（ステップＳ３３）。ステップＳ３２とステップＳ３３の順序は逆であっても良い。
【００３９】
ステップＳ１３の処理においてロングライフモードであると判別した場合（ステップＳ１３のＹｅｓ）、ユーティリティ１５２は、同期設定データテーブル１５３からロングライフモードの場合の白色画素およびバックライトの輝度の設定データを選択して読み込む（ステップＳ４１）。ユーティリティ１５２は、ＥＣ／ＫＢＣ１３０内の白色画素輝度レジスタ１３１に白色画素のオン状態に相当するデータを書き込む（ステップＳ４２）。また、ユーティリティ１５２は、バックライトのＬｏｗに相当するデータをＥＣ／ＫＢＣ１３０内のバックライト輝度レジスタ１３２に書き込む（ステップＳ４３）。ステップＳ４２とステップＳ４３の順序は逆であっても良い。
【００４０】
同期モードではないと判別した場合（ステップＳ１１のＮｏ）、ユーティリティ１５２は、同期／非同期設定１４１から白色画素およびバックライトの輝度の設定を読み込む（ステップＳ５１）。ユーティリティ１５２は、ＥＣ／ＫＢＣ１３０内の白色画素輝度レジスタ１３１に読み込んだ輝度の設定に相当するデータを書き込む（ステップＳ５２）。また、ユーティリティ１５２は、バックライトの読み込んだ輝度の設定に相当するデータをＥＣ／ＫＢＣ１３０内のバックライト輝度レジスタ１３２に書き込む（ステップＳ５３）。ステップＳ５２とステップＳ５３の順序は逆であっても良い。
【００４１】
Ｗpixel輝度レジスタおよびＢＬ輝度レジスタにデータが書き込まれた後、Ｗpixel_ＰＷＭ回路１３３は、白色画素輝度レジスタ１３１に書き込まれているデータに対応するＰＷＭ信号を生成する（ステップＳ１４）。ＰＷＭ信号のデューティ比は、データの値によって変化する。Ｗpixel_ＰＷＭ回路１３３が生成したＰＷＭ信号は、ディスプレイユニット１４内に設けられたＷpixel駆動回路１６２に制御信号として送られる（ステップＳ１５）。Ｗpixel駆動回路１６２は、ＰＷＭ信号に応じて白色画素を駆動し、所定の輝度になる。
【００４２】
ＢＬ_ＰＷＭ回路１３４は、バックライト輝度レジスタ１３２に書き込まれているデータに対応するＰＷＭ信号を生成する（ステップＳ１６）。ＰＷＭ信号のデューティ比は、データの値によって変化する。ＢＬ_ＰＷＭ回路１３４が生成したＰＷＭ信号は、パワーサプライ１２５に制御信号として送られる（ステップＳ１７）。パワーサプライは制御信号に応じた駆動電源をインバータ１５に供給する。インバータ１５は、駆動電源を昇圧する。昇圧電源はバックライトに供給される。バックライトは、昇圧電源の電圧に応じた輝度で点灯する。
【００４３】
・半透過型ＬＣＤ／反射型ＬＣＤ
次に、半透過型ＬＣＤと反射型ＬＣＤとの処理の手順は同様なのでまとめて説明する。ユーティリティ１５２は、起動時、またはモードが切り替えられた場合に、同期／非同期設定１４１を参照し、同期モードであるか否かを判別する（ステップＳ１１）。同期モードであると判別した場合（ステップＳ１１のＹｅｓ）、ユーティリティ１５２は現在のシステムの電源供給源がバッテリ１２５Ａであるか否かを判別する（ステップＳ１２）。
【００４４】
電源供給源がバッテリ１２５Ａではないと判別した場合（ステップＳ１２のＮｏ）、同期設定データテーブル１５３からＡＣ電源駆動の場合の白色画素およびバックライトの輝度の設定データを選択して読み込む（ステップＳ６１）。そして、ユーティリティ１５２は、ＥＣ／ＫＢＣ１３０内の白色画素輝度レジスタ１３１に白色画素のオン状態に相当するデータを書き込む（ステップＳ６２）。また、ユーティリティ１５２は、バックライトのＨｉに相当するデータをＥＣ／ＫＢＣ１３０内のバックライト輝度レジスタ１３２に書き込む（ステップＳ６３）。ステップＳ６２とステップＳ６３の順序は逆であっても良い。
【００４５】
ステップＳ１２の処理において電源供給源がバッテリ１２５Ａであると判別した場合（ステップＳ１２のＹｅｓ）、ユーティリティ１５２は、同期／非同期設定１４１を参照し、ロングライフモードであるか否かを判別する（ステップＳ１３）。ロングライフモードでは無いと判別した場合（ステップＳ１３のＮｏ）、ユーティリティ１５２は、同期設定データテーブル１５３からノーマルモードの場合の白色画素およびバックライトの輝度の設定データを選択して読み込む（ステップＳ７１）。そして、ユーティリティは、ＥＣ／ＫＢＣ１３０内の白色画素輝度レジスタ１３１に白色画素のオフ状態に相当するデータを書き込む（ステップＳ７２）。また、ユーティリティ１５２は、バックライトのＭｉｄｄｌｅに相当するデータをＥＣ／ＫＢＣ１３０内のバックライト輝度レジスタ１３２に書き込む（ステップＳ７３）。ステップＳ７２とステップＳ７３の順序は逆であっても良い。
【００４６】
ステップＳ１３の処理においてロングライフモードであると判別した場合（ステップＳ１３のＹｅｓ）、ユーティリティ１５２は、同期設定データテーブル１５３からロングライフモードの場合の白色画素およびバックライトの輝度の設定データを選択して読み込む（ステップＳ８１）。ユーティリティ１５２は、ＥＣ／ＫＢＣ１３０内の白色画素輝度レジスタ１３１に白色画素のオン状態に相当するデータを書き込む（ステップＳ８２）。また、ユーティリティ１５２は、バックライトのＬｏｗに相当するデータをＥＣ／ＫＢＣ１３０内のバックライト輝度レジスタ１３２に書き込む（ステップＳ８３）。ステップＳ８２とステップＳ８３の順序は逆であっても良い。
【００４７】
同期モードではないと判別した場合（ステップＳ１１のＮｏ）、ユーティリティ１５２は、同期／非同期設定１４１から白色画素およびバックライトの輝度の設定を読み込む（ステップＳ９１）。ユーティリティ１５２は、ＥＣ／ＫＢＣ１３０内の白色画素輝度レジスタ１３１に読み込んだ輝度の設定に相当するデータを書き込む（ステップＳ９２）。また、ユーティリティ１５２は、バックライトの読み込んだ輝度の設定に相当するデータをＥＣ／ＫＢＣ１３０内のバックライト輝度レジスタ１３２に書き込む（ステップＳ９３）。ステップＳ９２とステップＳ９３の順序は逆であっても良い。
【００４８】
Ｗpixel輝度レジスタおよびＢＬ輝度レジスタにデータが書き込まれた後の処理（ステップＳ１４〜ステップＳ１７）は透過型ＬＣＤの場合と同様なので説明を省略する。
【００４９】
上述したように、バッテリ駆動時にバックライト１５の輝度を低くすると共に、ＬＣＤ１６１の白色画素をオン状態にすることで、ユーザが感じる輝度が高くなり、視認性の悪化をよくせいすることができる。
【００５０】
なお、ユーザが設定するバックライトの輝度に対して適切な白色画素の輝度を表すアルゴリズムをメモリ１１４により、ユーザが設定するバックライトの輝度に連動させて白色画素の輝度を自動的に設定するようにして、視認性の向上を図っても良い。
【００５１】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００５２】
【図１】本発明の第１の実施形態に係わる情報処理装置としてのパーソナルコンピュータの概略構成の一例を示す斜視図。
【図２】第１の実施形態に係わるパーソナルコンピュータの回路構成の一例を示すブロック図。
【図３】同期モードと非同期モードとを切り替えるために、ユーティリティがＬＣＤに表示するウィンドウを示す図。
【図４】透過型ＬＣＤの場合の同期設定データテーブルの内容を示す図。
【図５】半透過型ＬＣＤの場合の同期設定データテーブルの内容を示す図。
【図６】反射型ＬＣＤの場合の同期設定データテーブルの内容を示す図。
【図７】透過型ＬＣＤの場合の白色画素およびバックライトの輝度を設定する処理の手順を示すフローチャート。
【図８】半透過型および反射型ＬＣＤの場合の白色画素およびバックライトの輝度を設定する処理の手順を示すフローチャート。
【符号の説明】
【００５３】
１０…パーソナルコンピュータ，１２…コンピュータ本体，１４…ディスプレイユニット，１５…インバータ，１６…表示パネル，１０２…ＣＰＵ，１０８…グラフィクスコントローラ，１１４…メインメモリ，１２０…ＢＩＯＳ−ＲＯＭ，１２５…パワーサプライ，１２５Ａ…バッテリ，１２５Ｂ…ＡＣアダプタ，１２６…ハードディスクドライブ，１３０…エンベデッドコントローラ／キーボードコントローラＩＣ，１３１…白色画素輝度レジスタ，１３２…バックライト輝度レジスタ，１３３…Ｗpixel_ＰＷＭ回路，１３４…ＢＬ_ＰＷＭ回路，１４０…ＣＭＯＳラム，１４１…非同期設定，１５２…ユーティリティ，１５３…同期設定データテーブル，１５４…ＢＡＴＴ駆動フラグ，１６１…ＬＣＤ，１６２…ＲＧＢ駆動回路，１６３…Ｗ駆動回路，１６４…バックライト，１７０…ウィンドウ，１７１…ラジオボックス，１７２…ラジオボックス，１７３…チェックボックス，１７４…スライドバー，１７５…スライドバー，Ｃ１…第１コネクタ，Ｃ２…第２コネクタ
【図１】
2008009306.tif 000003
【図２】
2008009306.tif 000004
【図３】
2008009306.tif 000005
【図４】
2008009306.tif 000006
【図５】
2008009306.tif 000007
【図６】
2008009306.tif 000008
【図７】
2008009306.tif 000009
【図８】
2008009306.tif 000010